(57)【要約】【課題】顧客の携帯端末からの依頼により配車されたタクシー等の車両に配置された機器を、当該顧客端末からのワンタップ操作により容易に無線ＬＡＮ接続設定ができ、機器を動作させることができる接続設定システムを提供する。【解決手段】システム１は、車両車室内を撮影する無線ＬＡＮ機能付き機器としてのレコーダ６と、顧客の携帯端末８からの配車依頼に応じて車両配車を行う管理サーバ４と、を備え、管理サーバ４は、車両号車番号に対応付けしてレコーダ６の暗証番号を予め保存しており、配車依頼に応じて決定された迎車の車両号車番号に対応付けられた暗証番号を携帯端末８に閲覧可能とする。携帯端末８は、管理サーバ４から車両号車番号に対応付けられた暗証番号を取得し、無線ＬＡＮ接続のための操作ボタンを表示し、操作ボタンがワンタップ又はスライド操作されると、暗証番号をレコーダ６に送信し、レコーダ６と無線ＬＡＮ接続される。【選択図】図１
2020101865.tif 000002
【特許請求の範囲】
【請求項１】
複数の車両の各々の車室内に備えられ、該車室内を撮影する無線ＬＡＮ機能付き機器と、車両配車のためのアプリケーションプログラムをダウンロードした顧客の携帯端末からの配車依頼に応じて車両配車を行う管理サーバと、を備えた無線ＬＡＮ機能付き機器の接続設定システムにおいて、
前記無線ＬＡＮ機能付き機器の各々は、車両号車番号に対応付けられた無線ＬＡＮ接続ための暗証番号を保有し、
前記管理サーバは、
前記車両号車番号に対応付けられた無線ＬＡＮ接続のための暗証番号を予め保存し、
ネットワークを介して接続された前記携帯端末からの情報を保存するデータベースを備え、
前記携帯端末からの配車依頼に応じて決定された迎車の車両号車番号を前記携帯端末に閲覧可能とし、かつ前記携帯端末から送信された迎車の車両号車番号に対応付けられた前記無線ＬＡＮ接続のための暗証番号を前記携帯端末に取得させ、
前記携帯端末は、
前記アプリケーションプログラムを起動して前記管理サーバにアクセスし、
配車依頼に応じて前記管理サーバから取得した迎車の車両号車番号を受信して表示部に表示し、
前記表示部に表示された車両号車番号を顧客が選択操作することにより前記管理サーバから取得する前記車両号車番号に対応付けられた前記無線ＬＡＮ接続のための暗証番号を取得し、前記暗証番号に紐付けられた無線ＬＡＮ接続のための操作ボタンを前記表示部に表示し、
前記表示部に表示された前記操作ボタンが顧客によりワンタップ又はスライド操作されると、前記暗証番号を前記無線ＬＡＮ機能付き機器に送信し、該機器と無線ＬＡＮ接続され、該機器を動作可能な状態とする、ことを特徴とする無線ＬＡＮ機能付き機器の接続設定システム。
【請求項２】
前記携帯端末は、前記無線ＬＡＮ機能付き機器と無線ＬＡＮ接続された状態で、該機器の記録動作を制御するための制御ボタンを前記表示部に表示し、前記制御ボタンが顧客により操作されると前記機器を記録動作させる制御信号を送信し、
前記機器は、前記携帯端末から送信された前記制御信号を受信して記録動作する、ことを特徴とする請求項１に記載の無線ＬＡＮ機能付き機器の接続設定システム。
【請求項３】
前記無線ＬＡＮ機能付き機器の無線ＬＡＮは、ＷｉＦｉ回線又はブルートゥース（登録商標）回線であることを特徴とする請求項１又は２に記載の無線ＬＡＮ機能付き機器の接続設定システム。
【発明の詳細な説明】
【技術分野】
【０００１】
本発明は、タクシー等の車両の車室内を撮影するレコーダ（機器）がＷｉＦｉ等の無線ＬＡＮ機能付きである場合の、接続設定を容易にする接続設定システムに関する。
【背景技術】
【０００２】
従来、ＷｉＦｉやブルートゥース（登録商標）等の無線ＬＡＮ機器に、何らかの機器をネットワーク接続する場合、何らの設定をしなくても接続できるものもあるが、多くはセキュリティ上、無線ＬＡＮ機能付き機器の固有のパスワードや認証を必要とされている。その無線ＬＡＮの接続設定を容易にする各種システムが提案されている（例えば、特許文献１，２参照）。
【０００３】
特許文献１に示されるシステムは、携帯電話端末を用いてサーバからルーター特定情報を取得し、このルーター特定情報をルーターへ送信し、設定するものである。また、特許文献２に示されるシステムは、一つの閉じた特定のユーザのホームゲートウェイと携帯電話とのＷｉＦｉ接続を容易にセットアップするためのものである。
【先行技術文献】
【特許文献】
【０００４】
【特許文献１】特開２００５−２３６３９８号公報
【特許文献２】特許公表２０１２−５１１２６８号公報
【発明の概要】
【発明が解決しようとする課題】
【０００５】
しかしながら、上述した特許文献１，２に示されるようなシステムは、予め特定されたルーターやホームゲートウェイを無線ＬＡＮ設定することを容易に可能とするものである。従って、この種のシステムは、不特定多数の端末機器と不特定多数の無線ＬＡＮ機能付き機器との間、例えば、任意の顧客の携帯端末と、その携帯端末からの依頼により特定され配車された車両に配置された無線ＬＡＮ機能付き機器との間での無線ＬＡＮ設定に採用することはできない。
【０００６】
本件出願人は、タクシー車両に備えた無線ＬＡＮ機能付き機器を動作させて車室内を撮影し、乗車中のトラブル発生時の客観的な情報記録をするセキュリティシステムに関して先に特許出願している（特願２０１８−１０７７３９）。ここに、顧客が配車依頼をして配車された車両に乗車したとき、顧客の意思表示として無線ＬＡＮ機能付き機器を顧客携帯端末でもって動作させる。その場合に、無線ＬＡＮ機能付き機器を動作させるのに、機器固有のパスワードや認証を必要とするシステムにあっては、それらを入力する手間が掛かり、煩わしいものとなっていた。
【０００７】
本発明は、上記課題を解消するものであって、任意の顧客の携帯端末からの依頼により特定され配車された車両に配置された機器を、当該顧客端末からのワンタップ操作により容易に無線ＬＡＮ接続設定ができ、該機器を動作させることができる接続設定システムを提供することを目的とする。
【課題を解決するための手段】
【０００８】
上記課題を達成するために、本発明は、複数の車両の各々の車室内に備えられ、該車室内を撮影する無線ＬＡＮ機能付き機器と、車両配車のためのアプリケーションプログラムをダウンロードした顧客の携帯端末からの配車依頼に応じて車両配車を行う管理サーバと、を備えた無線ＬＡＮ機能付き機器の接続設定システムにおいて、
前記無線ＬＡＮ機能付き機器の各々は、車両号車番号に対応付けられた無線ＬＡＮ接続ための暗証番号を保有し、
前記管理サーバは、
前記車両号車番号に対応付けられた無線ＬＡＮ接続のための暗証番号を予め保存し、
ネットワークを介して接続された前記携帯端末からの情報を保存するデータベースを備え、
前記携帯端末からの配車依頼に応じて決定された迎車の車両号車番号を前記携帯端末に閲覧可能とし、かつ前記携帯端末から送信された迎車の車両号車番号に対応付けられた前記無線ＬＡＮ接続のための暗証番号を前記携帯端末に取得させ、
前記携帯端末は、
前記アプリケーションプログラムを起動して前記管理サーバにアクセスし、
配車依頼に応じて前記管理サーバから取得した迎車の車両号車番号を受信して表示部に表示し、
前記表示部に表示された車両号車番号を顧客が選択操作することにより前記管理サーバから取得する前記車両号車番号に対応付けられた前記無線ＬＡＮ接続のための暗証番号を取得し、前記暗証番号に紐付けられた無線ＬＡＮ接続のための操作ボタンを前記表示部に表示し、
前記表示部に表示された前記操作ボタンが顧客によりワンタップ又はスライド操作されると、前記暗証番号を前記無線ＬＡＮ機能付き機器に送信し、該機器と無線ＬＡＮ接続され、該機器を動作可能な状態とする、ことを特徴とする。
【０００９】
この接続設定システムにおいて、前記携帯端末は、前記無線ＬＡＮ機能付き機器と無線ＬＡＮ接続された状態で、該機器の記録動作を制御するための制御ボタンを前記表示部に表示し、前記制御ボタンが顧客により操作されると前記機器を記録動作させる制御信号を送信し、前記機器は、前記携帯端末から送信された前記制御信号を受信して記録動作する、ことを特徴とするものであることが望ましい。
【００１０】
この接続設定システムにおいて、前記無線ＬＡＮ機能付き機器の無線ＬＡＮは、ＷｉＦｉ回線又はブルートゥース（登録商標）回線であることが望ましい。
【発明の効果】
【００１１】
本発明の無線ＬＡＮ機能付き機器の接続設定システムによれば、配車された車両に顧客が乗車し、顧客端末に表示された操作ボタンをワンタップ操作するだけで容易に顧客端末と機器との無線ＬＡＮ接続設定がなされ、機器を動作させることができる。
【図面の簡単な説明】
【００１２】
【図１】本発明の一実施形態に係る無線ＬＡＮ機能付き機器の接続設定システムの構成図。
【図２】同システムの車両配車動作を説明するフロー図。
【図３】同システムの無線ＬＡＮの接続動作を説明するフロー図。
【図４】同システムにおける携帯端末の表示部に表示された無線ＬＡＮ接続操作のための操作部を示す図。
【発明を実施するための形態】
【００１３】
本発明の一実施形態に係る無線ＬＡＮ機能付き機器の接続設定システム１（以下、本システムという）について図面を参照して説明する。図１は、本システム１の構成を示す。本システム１は、複数のタクシー等の車両５の各々の車室内に備えられて車室内を撮影する無線ＬＡＮ機能付き機器としてのレコーダ６と、複数の顧客の携帯端末８からの配車依頼に応じて車両配車を行う管理サーバ４と、を備える。無線ＬＡＮ機能は、例えばＷｉＦｉ回線や、ブルートース（登録商標）回線を用いることができる。図示では、複数の車両５は、１号車５１、２号車５２、３号車５３・・として示し、各号車に備えられたレコーダ６は、レコーダ１号機６１、レコーダ２号機６２、レコーダ３号機６３・・として示す。また、車両５の各々に乗務する運転者が所有する運転者端末７は、各号車毎に運転者端末７１、運転者端末７２、運転者端末７３・・として示す。車両５は、タクシーに限られず、レンタカー等であってもよい。
【００１４】
管理サーバ４は、本システム１及び車両配車の処理を行うプロセッサ４ａと、車両配車を行うためのアプリケーションプログラム４ｂと、本システム１及び車両配車の処理を行うためのデータベース４ｃと、を備えている。管理サーバ４は、本システム１及び車両配車を運営する事業体により管理される。アプリケーションプログラム４ｂは、車両配車のための顧客用アプリケーション、及び運転者端末用アプリケーションを備える。顧客用アプリケーションは、車両配車を希望する顧客の携帯端末８から管理サーバ４にアクセスすることで予めダウンロードされ、運転者端末用アプリケーションは、運転者端末７に予めダウンロードされる。
【００１５】
管理サーバ４は、ネットワークを介して接続された運転者端末７からの車両５の各号車の現在位置情報等をデータベース４ｃに格納し、また、ネットワークを介して接続された携帯端末からの配車依頼情報等を格納する。また、管理サーバ４は、車両５の各号車に搭載されたレコーダ６が保有する無線ＬＡＮ接続のための個々の暗証番号（図示ではＷｉＦｉ暗証番号）を予め車両号車番号に対応付けしてデータベース４ｃに格納する。この例では、１号機の暗証番号は、１２３４、２号機の暗証番号は、５６７８、３号機の暗証番号は、９０１２として示す。
【００１６】
車両５は、車両の配車を運営する事業体又はタクシーやレンタカー事業者に所有され、車室内を撮影するレコーダ６が搭載されている。レコーダ６は、車室内を撮影する録画、録音機能を有し、また、車室外を撮影するドライブレコーダの機能を有していてもよい。運転者端末７は、配車を運営する事業体に加盟する運転者が所有し、ＧＰＳ機能を有するスマートフォンやタブレットが用いられる。運転者が車両５に乗車して配車依頼を受ける稼働時には、運転者端末７をオンにして自己の車両情報、運転者情報、現在位置情報等を管理サーバ４のデータベース４ｃに登録する。
【００１７】
顧客の携帯端末８は、本システム１及び配車の処理を行うプロセッサ８ａと、表示部８ｂと、操作部８ｃと、メモリ８ｄとを備える。携帯端末８は、ＧＰＳ機能を有するスマートフォン等が用いられる。
【００１８】
（配車フロー）
図２は、本システム１の車両配車動作の手順を示すフローである。顧客は、携帯端末８から顧客用アプリケーションを起動して管理サーバ４にアクセスし、配車依頼をする（Ｓ１）。管理サーバ４は、常時、複数の車両５の位置情報等を運転者端末７から取得しており、顧客から配車依頼を受けると、管理サーバ４は配車依頼発生を運転者端末７に一斉通知する（Ｓ２）。運転者端末７により配車依頼を見て迎車を希望する運転者は、運転者端末７から迎車希望通知を管理サーバ４に通知する（Ｓ３）。それを受けた管理サーバ４は、迎車に望ましい車両５を決定し（ここに、例えば２号車）、携帯端末８及び２号車の運転者端末７２に迎車の決定通知を送る（Ｓ４，Ｓ５）。これは、携帯端末８から管理サーバ４を閲覧可能とすることで行える。この決定通知には、号車番号も含まれる。それを受けた２号車の運転者は、迎車承諾の意思表示として、運転者端末７２から迎車承諾通知を管理サーバ４に送る（Ｓ６）。それを受けて管理サーバ４は携帯端末８に迎車承諾通知を送る（Ｓ７）。その後、２号車の運転者は、当該車両５を運転し、顧客の迎車希望地に向かい、配車依頼をした顧客に乗車して貰う。
【００１９】
（ＷｉＦｉ接続設定フロー）
図３は、本システム１のＷｉＦｉ接続設定の手順を示すフローである。管理サーバ４は、車両５の各号車に搭載されているレコーダ６の各号機６１，６２，６３・・から各号機の無線ＬＡＮ接続のための暗証番号を各号車番号に対応付けして予め保存登録しておく（Ｓ１１，Ｓ１２，Ｓ１３，・・）。上記配車フローの手順により配車を受けて乗車した顧客の携帯端末８には、上記Ｓ４で管理サーバ４から通知された迎車の車両号車番号（ここでは２号車）が表示部８ｂに表示されている。顧客が携帯端末８に表示された車両号車番号を選択し、表示部８ｂ上に表示された操作部８ｃによりＷｉＦｉ回線接続操作ボタンをタップ操作する（Ｓ１５）。すると、このＷｉＦｉ回線接続操作の信号が管理サーバ４に送信され、それに応答して管理サーバ４は、車両号車番号（２号車）に対応付けられたレコーダ２号機６２の暗証番号を携帯端末８に送信する（Ｓ１６）。これは、携帯端末８が管理サーバ４から取得可能とすることで達成できる。
【００２０】
こうして、携帯端末８は、レコーダ２号機６２の暗証番号を取得し、暗証番号に紐付けられた無線ＬＡＮ接続ための操作ボタンを表示部８ｂに表示する。顧客が、携帯端末８に表示された操作ボタンをワンタップ又はスライドして接続操作することにより（Ｓ１７）、暗証番号がレコーダ２号機６２に送信され、携帯端末８とレコーダ２号機６２とが無線ＬＡＮ回線接続される。これにより、携帯端末８からレコーダ２号機６２を動作可能状態となり、顧客が携帯端末８を操作してレコーダ動作の開始を指示すると（Ｓ１８）、レコーダ２号機６２は撮影を開始し、その撮影データは、管理サーバ４に送信され（Ｓ１９）、管理サーバ４のデータベース４ｃに格納保存される。撮影データは、同時に携帯端末８に送信されるようにしてもよい。
【００２１】
図４は、携帯端末８の表示部８ｂに表示された無線ＬＡＮ接続操作のための操作部８ｃを示す。携帯端末８の表示部８ｂは、レコーダ６と無線ＬＡＮ回線接続するための操作ボタン８ｅを表示する。また、この表示部８ｂは、レコーダ６の記録動作を制御するための信号を送信するための制御ボタン８ｆを表示する。表示部８ｂは、タップパネル機能を有するＧＵＩ用のディスプレイにより構成することができ、各ボタンはアイコンにより表示される。操作ボタン８ｅは、ユーザの手指で表示記号がスライド操作される（又はワンタップ操作）されることで、無線ＬＡＮ回線接続するための信号が送出される。制御ボタン８ｆは、携帯端末８がレコーダ６と無線ＬＡＮ接続された状態で有効となり、ユーザにより操作されると、レコーダ６の記録動作を制御するための信号が送出され、レコーダ６は同信号を受信して記録動作をオン／オフする。
【００２２】
本実施形態のシステム１によればＷｉＦｉ等の無線ＬＡＮ回線機能を持つ機器と携帯端末とを接続する場合に、従来のように、携帯端末から暗証番号を直接入力することなく、携帯端末のワンタップ又はスライド操作で簡単に暗証番号を入力することが可能で、容易に回線接続を可能とするものである。従って、例えば、一事業者が運営する複数の車両に搭載されたＷｉＦｉ回線機能付きの車内レコーダ（カメラ）に本機能を設けておくことにより、携帯端末を所有する顧客は、上記事業者の顧客用アプリケーションを起動させ、配車サービスを受けたとき、同アプリケーションで車両を確定したことにより、当該車両に搭載されているＷｉＦｉ回線機能付きの機器を自動的に特定するため、暗証番号の入力なしで、ワン操作するだけでＷｉＦｉ回線接続機能を実現でき、この事業者が配車に使用する全ての車両に搭載されるレコーダとの接続が可能になる。本システム１を利用すれば、車内状況が管理サーバ４に記録されるので、車内に同乗する顧客と運転者との間に発生する走行経路や運賃などに関するトラブル発生を未然に防止する効果が期待される。
【００２３】
なお、本発明は、上記構成に限られることなく種々の変形が可能である。例えば、上述した実施形態では、顧客が乗車した車両の号車を選択しＷｉＦｉ回線接続操作ボタンをタップ操作することで（図３のＳ１５）、それに応答して管理サーバ４からレコーダ６の暗証番号を携帯端末８に送信する（Ｓ１６）ものを示した。この例に限られず、車両の号車が決定された時点で（図２のＳ４）、号車決定に併せて当該車両のレコーダ６の暗証番号を携帯端末８に送信するものとしてもよい。この場合は、図３のＳ１５、Ｓ１６の処理を省くことができる。
【００２４】
また、本システムは、上記の実施形態に限られず、各種の実施形態に適用可能である。例えば、レンタカー等、特定する自動運転車両を不特定多数の者が運転する場合にあって、その車両に搭載される車外や車内の動画又は静止画を撮影可能なカメラ（機器）がＷｉＦｉ回線やブルートゥース（登録商標）機能を備えていて、それらと携帯端末とを無線ＬＡＮ回線で接続する場合に有効に活用できる。
【符号の説明】
【００２５】
１  無線ＬＡＮ機能付き機器の接続設定システム
４  管理サーバ
４ａ  プロセッサ
４ｂ  車両配車を行うためのアプリケーションプログラム
４ｃ  データベース
５  車両
５１  １号車
５２  ２号車
５３  ３号車
６  レコーダ（無線ＬＡＮ機能付き機器）
６１  レコーダ１号機
６２  レコーダ２号機
６３  レコーダ３号機
７  運転者端末
７１，７２，７３  運転者端末
８  顧客の携帯端末
８ａ  プロセッサ
８ｂ  表示部
８ｃ  操作部
８ｄ  メモリ
８ｅ  操作ボタン
８ｆ  制御ボタン
【図１】
2020101865.tif 000003
【図２】
2020101865.tif 000004
【図３】
2020101865.tif 000005
【図４】
2020101865.tif 000006